(57)【要約】  【課題】  視聴者による操作入力の必要がなく，また，誤ったチャンネルが使用チャンネルとして設定されることなく確実に使用チャンネルの設定変更がなされるチャンネル設定装置，及びそれを具備するテレビジョン受像機を提供することにある。  【解決手段】  アナログ放送における（第１の）地域コードとデジタル放送における（第２の）地域コードとの対応関係を記憶し，予め選択された第１の選択地域コードと前記対応関係を用いて前記第２の地域コードから第２の選択すべき地域コードを特定し，特定された第２の地域コードに対応するチャンネル情報に基づいてチャンネル設定情報を設定するチャンネル設定装置として構成される。【選択図】図５
2006121462.tif 000002
【特許請求の範囲】
【請求項１】
放送信号における使用チャンネルに関するチャンネル設定情報を設定するチャンネル設定装置であって，
第１の放送信号が放送される複数の地域各々を識別する第１の地域コードごとに前記第１の放送信号における使用チャンネルに関する第１の地域別チャンネル情報を記憶する第１の地域別チャンネル情報記憶手段と，
前記第１の地域別チャンネル情報記憶手段の記憶情報に基づいて，予め前記第１の地域コードの中から選択された第１の選択地域コードに対応する前記第１の地域別チャンネル情報に従った前記チャンネル設定情報を設定する第１のチャンネル設定手段と，
第２の放送信号が放送される複数の地域各々を識別する第２の地域コードごとに前記第２の放送信号における使用チャンネルに関する第２の地域別チャンネル情報を記憶する第２の地域別チャンネル情報記憶手段と，
前記第１の地域コードと前記第２の地域コードとの対応関係を記憶する地域コード対応情報記憶手段と，
前記地域コード対応情報記憶手段に記憶されている前記対応関係に基づいて前記第２の地域コードの中から前記第１の選択地域コードに対応する第２の選択地域コードを特定する第２選択地域コード特定手段と，
前記第２の地域別チャンネル情報記憶手段に記憶されている前記第２の地域別チャンネル情報のうち，前記第２選択地域コード特定手段により特定された前記第２の選択地域コードに対応する前記第２の地域別チャンネル情報に基づいて，前記第１のチャンネル設定手段に基づく前記チャンネル設定情報の一部又は全部を前記第２の選択地域コードに対応する前記第２の地域別チャンネル情報に基づく設定情報に切り替えるチャンネル設定切替手段と，
を具備してなることを特徴とするチャンネル設定装置。
【請求項２】
前記チャンネル設定切替手段が，前記第１の選択地域コードに対応する前記第１の地域別チャンネル情報により特定される使用チャンネルの一部若しくは全部の前記第１の放送信号の有無，及び／又は前記第２の選択地域コードに対応する前記第２の地域別チャンネル情報により特定される使用チャンネルの一部若しくは全部の前記第２の放送信号の有無に基づいて前記チャンネル設定情報を切り替えるタイミングを制御してなる請求項１に記載のチャンネル設定装置。
【請求項３】
前記チャンネル設定切替手段が，前記チャンネル設定情報の切り替えを許可する操作入力がなされた場合にのみ前記チャンネル設定情報を切り替えてなる請求項１又は２のいずれかに記載のチャンネル設定装置。
【請求項４】
前記第２選択地域コード特定手段が，前記地域コード対応情報により前記第１の選択地域コードに対して複数の前記第２の地域コードが対応づけられている場合に，該複数の第２の地域コードの中から所定の選択操作入力に従って前記第２の選択地域コードを特定するものである請求項１〜３のいずれかに記載のチャンネル設定装置。
【請求項５】
前記第１の放送信号が地上波アナログ放送信号であり，前記第２の放送信号が地上波デジタル放送信号である請求項１〜４のいずれかに記載のチャンネル設定装置。
【請求項６】
請求項１〜５のいずれかに記載のチャンネル設定装置を具備してなることを特徴とするテレビジョン受像機。
【発明の詳細な説明】
【技術分野】
【０００１】
本発明は，テレビ放送信号の放送形態が変わった場合に，テレビ放送信号を受信する機器における受信チャンネルに関する情報を設定するチャンネル設定装置及びそれを具備するテレビジョン受像機に関し，特に，受信チャンネルに関する設定情報を，地域コードを用いて簡単に切り替えることが可能なチャンネル設定装置，及びそれを具備するテレビジョン受像機に関するものである。
【背景技術】
【０００２】
各放送局から発信されるテレビ放送信号の信号波の周波数（波長）領域（以下，チャンネルという）は，放送地域毎に異なるため，テレビジョン受像機には，その設置地域に応じて，操作入力用のリモコン等のキーに対応したチャンネル選択用の番号（以下，選局符号）と，各放送局で使用されるチャンネル（以下，使用チャンネルという）とを対応付ける（割り当てる）機能が設けられている。
これにより，リモコン等によって選局のキー操作がなされた場合，前記チャンネル設定情報に従って，チューナにより放送信号から前記選局符号に対応したチャンネルが選択されるので，放送地域に対応したチャンネル選択が行われることになる。
【０００３】
また，近年のテレビジョン受像機では，手動作業による使用チャンネル設定情報の設定を行う必要のないように，前記選局符号と，放送局各々によるテレビ放送信号の使用チャンネルとの対応関係を，地域別チャンネル情報として複数の地域各々について予め記憶しておき，複数の放送地域各々を識別する予め定められた識別情報（以下，地域コードという）を入力するだけで，その地域コードに対応した前記チャンネル設定情報を自動設定する機能を備えている。
【０００４】
ところで，２００３年１２月に，東京、名古屋、大阪の３大都市圏の一部で，高画質のハイビジョン番組や双方向番組などのデジタル放送が開始された。その後，デジタル放送が開始される地域は全国的に拡大され，２０１１年までには，現在の放送の主流である地上波アナログ放送は，地上波デジタル放送に全面移行するものと計画されている。また，各メーカーも，地上波デジタル放送への移行に対して，地上波デジタル放送におけるテレビ放送信号を入力するデジタルチューナを具備したテレビジョン受像機を開発，商品化している。
ここで，地上波アナログ放送と前記地上波デジタル放送とでは，各局が使用する周波数のチャンネルが異なっている。従って，地上波アナログ信号から地上波デジタル信号へと信号形態が移行されると，それまで地上波アナログ放送に対応して設定されていたチャンネル設定情報を改めて設定しなおさなければならない。そこで，このような信号形態の移行に際し，簡単にチャンネル設定情報の設定のやり直しを可能とする選局装置が，例えば特許文献１等に開示されている。特許文献１には，デジタル放送信号が入力されるデジタル放送受信チューナに各チャンネルを順次選局させ，地上波アナログ放送信号における使用チャンネル以外のチャンネルでデジタル放送信号が検出された場合に，そのチャンネルをデジタル放送信号における使用チャンネルとして設定（プリセット）する技術が開示されている。
【特許文献１】特開２００４−１２０４７５号公報
【発明の開示】
【発明が解決しようとする課題】
【０００５】
ところで，地上波デジタル放送についても，地上波アナログ放送と同様に，前記複数の地域各々にはデジタル放送用の地域コードが割り当てられる予想されている。そこで，リモコン等のキーに対応したチャンネル選択用の番号（選局符号）と，放送局各々によるテレビ放送信号の使用チャンネルとの対応関係（デジタル放送用の前記地域別チャンネル情報）が記憶されるものと期待され，設置されている地域の地上波デジタル放送用の地域コードを入力すれば，地上波デジタル放送用の使用チャンネル設定情報の設定がなされるものと思われる。
しかし，アナログ放送からデジタル放送へ移行される時点で，デジタル放送用の地域コードの入力を視聴者が行うものとすると，その地域コードの入力に手間がかかる上に，地域コードを間違って入力してしまう可能性があるという問題点がある。
一方，上述の特許文献１に記載の技術を用いるものとすると，変更後の使用チャンネルの決定のために，テレビ放送信号を検出せねばならない。しかし，変更後の使用チャンネルの決定のためにテレビ放送信号を検出するものとすると，テレビジョン受像機の接地位置，周辺の環境などの原因で特定の放送局の前記テレビ放送信号の減衰が大きい場合，また，ノイズ等が付加された別地域のテレビ放送信号を誤って検出してしまった場合等は，本来使用すべきでない誤ったチャンネルが使用チャンネルとして設定されてしまうという問題点がある。
従って，本発明は上記事情に鑑みてなされたものであり，その目的とするところは，地上波デジタル放送用のチャンネル設定情報の設定の際に，視聴者による操作入力の必要がなく，また，誤ったチャンネルが使用チャンネルとして設定されることなく確実に使用チャンネルの設定変更がなされるチャンネル設定装置，及びそれを具備するテレビジョン受像機を提供することにある。
【課題を解決するための手段】
【０００６】
上記目的を達成するために本発明は，放送信号における使用チャンネルに関するチャンネル設定情報を設定するチャンネル設定装置であって，第１の放送信号が放送される複数の地域各々を識別する第１の地域コード毎の前記第１の放送信号における使用チャンネルに関する第１の地域別チャンネル情報と，第２の放送信号が放送される複数の地域各々を識別する第２の地域コード毎の前記第２の放送信号における使用チャンネルに関する第２の地域別チャンネル情報と，前記第１の地域コードと前記第２の地域コードとの対応関係とを記憶し，前記第１の地域コードのうちの予め選択された第１の選択地域コードと前記対応関係を用いて前記第２の地域コードから第２の選択地域コードを特定し，既に設定されている前記第１の選択地域コードに対応する前記第１の地域別チャンネル情報に基づく前記チャンネル設定情報を，前記第２の選択地域コードに対応する前記第２の地域別チャンネル情報に基づく前記チャンネル設定情報に切り替えるチャンネル設定装置として構成される。
これにより，予め定められた第１の選択地域コード（具体的には，地上波アナログ放送における地域コード）と前記対応関係とから，第２の選択地域コード（具体的には，地上波デジタル放送における地域コード）が判別され，前記第２の地域別チャンネル情報の中の，第２の選択地域コードに対応する情報が使用チャンネルの情報として設定されるので，切替後の使用チャンネルの決定に，実際にテレビ放送信号を検出する必要がない。（設定情報の切り替えのタイミングの決定にテレビ放送信号の検出を行う場合等は考えられるが，使用チャンネルの情報は，前記第２の選択地域コードに対応する前記第２の地域別チャンネル情報に基づくものを用いるので，前記テレビ放送信号の受信状況によって，誤ったチャンネルが使用チャンネルとして設定されることはない。）また，それに基づいてチャンネル設定情報の設定切替がなされるので，前記第２の選択地域コードの再入力を行う必要がない。
【０００７】
ここで，前記第１の選択地域コードに対応する前記第１の地域別チャンネル情報により特定される使用チャンネルの一部又は全部の信号が存在しないこと，あるいは，前記第２の選択地域コードに対応する前記第２の地域別チャンネル情報により特定される使用チャンネルの一部又は全部の信号が存在すること，の一方又は両方を検出し，それらの検出結果の一方又は両方に基づいて前記チャンネル設定情報のタイミングを制御することが考えられる。
これにより，前記第１の放送信号による放送が終了されたとき，もしくは前記第２の放送信号による放送が開始されたとき，などの適切なタイミングで，前記チャンネル設定情報が切り替えられる。
また，前記チャンネル設定情報の切り替えを，視聴者による切り替え許可を示す入力操作がなされた場合にのみに行われるものであっても良い。
これにより，視聴者の意図したタイミングで前記チャンネル設定情報の切替が行われる。
また，複数の前記第２の地域コードが前記第１の地域コードに対応した場合，それらの一方を選択する機能が必要である。
ところで，具体的には前記第１の放送信号が地上波アナログ放送信号であり，前記第２の放送信号が地上波デジタル放送信号であることが考えられる。
【発明の効果】
【０００８】
本発明によれば，地上波デジタル放送用の地域コード（第２の選択地域コード）を視聴者が入力しなくても，予め選択（入力）された地上波アナログ放送用の地域コード（第１の選択地域コード）と，地上波デジタル放送用の地域コードと地上波アナログ放送用の地域コードの対応関係と，から，地上波デジタル放送用のチャンネル設定情報の設定が行われるので，誤ったチャンネルが使用チャンネルとして設定されることがなく，また，チャンネル情報の設定切替時に，視聴者による地域コードの入力を必要としない。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係るテレビジョン受像機Ｘの概略構成を示す図。図２は前記テレビジョン受像機Ｘの記憶部６ａに記憶されるアナログ放送用地域別チャンネル情報の一例を示す図，図３は前記テレビジョン受像機Ｘの記憶部６ａに記憶されるデジタル放送用地域別チャンネル情報の一例を示す図，図４は前記テレビジョン受像機Ｘの記憶部６ａに記憶されるアナログ放送用地域コードとデジタル放送用地域コードとの対応関係の一例を示す図，図５は前記テレビジョン受像機Ｘにおけるチャンネル設定情報の切り替えの処理手順を示すフローチャート，図６は前記テレビジョン受像機Ｘにおけるチャンネル設定情報の切り替えの問い合わせ画面の一例を示す図，図７は前記テレビジョン受像機Ｘにおけるデジタル放送用地域コードの選択画面の一例を示す図である。
【００１０】
図１に示されるテレビジョン受像機Ｘは，アナログチューナ２，デジタルチューナ３，入力部７，スイッチ回路８，音声出力部９，映像選択合成回路１０，映像出力部１１を具備する。更に，前記テレビジョン受像機Ｘは，放送信号における使用チャンネルに関するチャンネル設定情報を設定するものであり，本発明の実施形態に係るチャンネル設定装置Ａ（アナログ信号処理回路４，デジタル信号処理回路５，制御部６）を具備する。
前記アナログチューナ２及び前記デジタルチューナ３は，図１に示される受信アンテナ１に接続されている。前記受信アンテナ１は，複数のチャンネル分の映像信号及びその映像と同期した音声信号が重畳されたテレビ放送信号を受信するものである。また，前記受信アンテナ１は，地上波アナログ放送におけるテレビ放送信号（第１の放送信号の一例），及び地上波デジタル放送におけるテレビ放送信号（第２の放送信号の一例）の両者を受信可能とするものである。
【００１１】
前記制御部６は，ＭＰＵ及びその周辺装置であるＲＯＭ，ＲＡＭ等を備え，そのＲＯＭに予め記憶された制御プログラムを実行することにより，当該テレビジョン受像機Ｘの統括的な制御を行うものである。更に前記制御部６は，ＥＥＰＲＯＭ等の書き換え可能な不揮発性の記憶部６ａを備えている。
前記入力部７は，例えばリモコンによる当該テレビジョン受像機Ｘの操作信号の受信部，若しくは当該テレビジョン受像機Ｘの外面等に設けられた操作スイッチ類等の操作入力手段の総称である。
前記制御部６は，後述するリモコンのキー番号（予め定められたチャンネル選択用の符号）とテレビ放送信号における使用チャンネルとの対応関係を表すチャンネル設定情報を設定する処理を実行するものであり，本発明に係るチャンネル設定装置としての主要な機能を果たすものである。
前記アナログチューナ２は，前記受信アンテナ１により受信された，複数のチャンネル分の地上波アナログ放送による前記テレビ放送信号を入力し，複数のチャンネルのうちの１つのチャンネルの前記テレビ放送信号（以下，選択アナログ信号という）を選択（抽出）するものである。
前記デジタルチューナ３は，前記受信アンテナ１により受信された，複数のチャンネル分の地上波デジタル放送による前記テレビ放送信号を入力し，複数のチャンネルのうちの１つのチャンネル分の前記テレビ放送信号（以下，選択デジタル信号という）を選択（抽出）するものである。
前記アナログチューナ２及び前記デジタルチューナ３により選択されるチャンネルは，前記制御部６の制御により決定される。
【００１２】
前記アナログ信号処理回路４は，前記アナログチューナ２により抽出された前記選択アナログ信号からの，音声信号及び映像信号の抽出処理（即ち，検波），前記音声信号に対する所定の処理（音量の調節処理や前記音声出力部９の特性に合わせたイコライズ処理，サラウンド処理等），前記映像信号に対する所定の処理，（例えば，映像信号からの水平及び垂直同期信号の分離，その同期信号に位相同期したクロック信号の生成，映像信号からの輝度信号及び色信号の分離，所定の画質改善処理等）等を行うものである。
前記デジタル信号処理回路５は，前記デジタルチューナ３により抽出された前記選択デジタル信号に対して，スクランブルの解除（即ち，デ・スクランブル），音声信号及び映像信号の抽出処理（即ち，デ・マルチプレクサ），及び前記音声信号及び前記映像信号に対する所定の信号処理等を行うものである。
【００１３】
前記アナログ信号処理回路４により抽出された音声信号（以下，アナログ音声信号という），及び前記デジタル信号処理回路５により抽出された音声信号（以下，デジタル音声信号）は，前記スイッチ回路８に入力される。
前記スイッチ回路８は，前記制御部６による制御に従って，前記デジタル音声信号及び前記アナログ音声信号の一方を選択するものである。選択された音声信号は，スピーカ等からなる前記音声出力部９により音声出力される。
また，前記アナログ信号処理回路４により抽出された映像信号（以下，アナログ映像信号という），及び前記デジタル信号処理回路５により抽出された映像信号（以下，デジタル映像信号）は，前記映像選択合成回路１０に入力される。
前記映像選択合成回路１０は，前記制御部６による制御に従って，前記デジタル映像信号及び前記アナログ映像信号の一方を選択するものである。更に，前記映像選択合成回路１０は，前記制御部６による制御に従って，ＯＳＤ画面の映像信号を生成するＯＳＤ処理部１０ａを備え，そのＯＳＤ画面を前記映像出力部１１に表示させる映像画面内に合成する映像合成処理も行う。
【００１４】
前記テレビジョン受像機Ｘに対する操作入力は，主に不図示のリモコンにより行われる。前記リモコンには，前記映像出力部１１に表示させるチャンネル選択するのに用いられる（いわゆる，ダイレクト選局に用いられる）複数の選局キーが設けられている。また，前記選局キー各々には番号が割り振られており，以下，これを選局符号という。
ところで，アナログ放送信号（第１の放送信号の一例）が放送される複数の地域各々には，予めそれらの地域を識別するアナログ放送用地域コード（第１の地域コードの一例）が割り当てられている。そして，前記記憶部６ａ（第１の地域別チャンネル情報記憶手段の一例）には，前記アナログ放送用地域コード毎に（即ち，放送地域毎に）前記選局符号と，地上波アナログ放送信号における使用チャンネルと，の対応関係を表す，図２にそのデータ構造の一例が示されるアナログ放送用地域別チャンネル情報（第１の地域別チャンネル情報の一例）が記憶されている。該アナログ放送用地域別チャンネル情報は，アナログ放送用地域コードの情報１２（つまり，地域の情報１３）毎に，前記選局符号の情報１４と前記使用チャンネルの情報１５（及び放送局の名称情報１６）とが対応付けられたものになっている。前記アナログ放送用地域コードが決定されると，前記選局符号と前記使用チャンネルの対応は一通りに定められる。
【００１５】
前記入力部７を通じて所定のチャンネル情報設定モードへの切替操作入力が行われたことが検知されると，前記制御部６は，前記チャンネル設定情報の設定処理を行う所定のチャンネル情報設定モードへ状態を切り替える。
そのチャンネル情報設定モードに切り替えられた状態で，前記入力部７から，予め前記アナログ放送用地域コードの中から選択された，前記テレビジョン受像機Ｘの設置地域に対応するアナログ放送用地域コード（以下，選択アナログ地域コードという）が入力されると，前記制御部６は，前記アナログ放送用地域別チャンネル情報（第１の地域別チャンネル情報記憶手段の記憶情報）から前記選択アナログ地域コードに対応する情報（以下，アナログチャンネル設定情報という）を抽出する。また，該アナログチャンネル設定情報を，前記選局符号と使用チャンネルとの対応関係を表す情報であり，チャンネル選択処理（選局処理）の際に用いられるチャンネル設定情報として設定し，前記記憶部６ａに記憶（設定）する。
【００１６】
ところで，デジタル放送信号（第２の放送信号の一例）が放送される複数の地域各々に対しても，アナログ放送信号と同様に，予めそれらの地域を識別するデジタル放送用地域コード（第２の地域コードの一例）が割り当てられているものとする。また，前記アナログ放送用地域コードと前記デジタル放送用地域コードとの対応関係（前記第１の地域コードと前記第２の地域コードとの対応関係）の情報（以下，地域コード対応情報）も既知であるものとする。
そこで，前記記憶部６ａ（第２の地域別チャンネル情報記憶手段，地域コード対応情報記憶手段，の一例）には，前記アナログ放送用地域別チャンネル情報に加えて，図３にそのデータ構造の一例が示される，前記選局符号と，放送局各々による地上波デジタル放送（第２の放送信号の一例）におけるテレビ放送信号の使用チャンネルと，の対応関係を前記複数の地域各々について表した，デジタル放送用地域別チャンネル情報（第２の地域別チャンネル情報の一例），及び図４にそのデータ構造の一例が示される前記地域コード対応情報も併せて記憶されている。デジタル放送用地域コード（第２の地域コードの一例）の情報１７（また，地域の情報１３）毎に，前記選局符号の情報１４と前記使用チャンネルの情報１５（及び放送局の名称情報１６）とが対応付けられたものになっている。前記アナログ放送用地域コードが決定されると，前記選局符号と前記使用チャンネルの対応は一通りに定められる。また，前記地域コード対応情報は，前記アナログ放送用地域コードの情報１２に前記デジタル放送用地域コード１７が対応付けられたデータ構造を有する。
【００１７】
ここで，地上波アナログ放送のチャンネルを選択（選局）可能な状態から地上波デジタル放送のチャンネルを選択（選局）可能な状態へと変更する場合，チャンネル設定情報を，前記アナログ放送用地域別チャンネル情報から抽出され設定された前記チャンネル設定情報から，地上波デジタル放送に対する情報に切り替える（再設定する）必要がある。前記テレビジョン受像機Ｘでは，その切り替えは，前述したチャンネル情報設定モードにおいて予め入力（設定）されている前記選択アナログ地域コード，前記記憶部６ａに記憶されている前記デジタル放送用地域別チャンネル情報，及び前記地域コード対応情報等に基づいて，以下の説明のように，図５に示される手順で行われる。
図５は，前記テレビジョン受像機Ｘにおける，チャンネル設定情報の切替の処理手順を示すフローチャートである。これらの処理は，主に制御部６，或いは，前記アナログ信号処理回路４，前記デジタル信号処理回路５により実行される。また，前記テレビジョン受像機Ｘへの通電中は常時繰り返され実行される。尚，以下に示すＳ１，Ｓ２，…は，処理手順（ステップ）の識別符号を表し，ステップＳ１の処理から開始される。
【００１８】
ステップＳ１では，前述したチャンネル情報設定モードにおいて予め入力（設定）されている前記選択アナログ地域コード（予め第１の地域コードの中から選択された，第１の選択地域コードの一例）及び前記記憶部６ａ（地域コード対応情報記憶手段の一例）に記憶されている地域コード対応情報（アナログ放送用地域コードとデジタル放送用地域コードとの対応関係）が参照され，前記デジタル放送用地域コードのうちの前記選択アナログ地域コードに対応するものが特定される。以下，この特定されたデジタル放送用地域コードを選択デジタル地域コード（第２の選択地域コードの一例）という。尚，このステップＳ１の処理を行う前記制御部６が，第２選択地域コード特定手段の一例である。
ステップＳ１に続くステップＳ２の処理では，前記選択デジタル地域コード（第２の選択地域コードの一例）に対応する前記デジタル放送用地域別チャンネル情報（第２の地域別チャンネル情報の一例）が，デジタル放送用のチャンネル設定情報（以下，デジタルチャンネル設定情報という）として前記記憶部６ａに記憶（設定）される。
【００１９】
ステップＳ２に続くステップＳ３の処理では，前記デジタル放送用チャンネル設定情報（第２の地域別チャンネル情報）において使用チャンネルであると設定されているチャンネルの中から，１つのモニタ対象チャンネルが選択（決定）される。該モニタ対象チャンネルは，デジタル放送が開始されたか否かを検知する対象となるチャンネルである。前記モニタ対象チャンネルとして選択されるべきチャンネルの情報は，予め前記デジタル放送用地域別チャンネル情報に含まれており，例えば，デジタル放送の開始が最も遅く予定されている放送局の使用チャンネル等が前記モニタ対象チャンネルとして選択される。尚，前記モニタ対象チャンネルが，第２の選択地域コードに対応する情報により特定されるチャンネルの一例である。
ステップＳ３に続くステップＳ４の処理では，以下のように，前記モニタ対象チャンネルでデジタル放送によるテレビ放送信号が検出されるか否か（存在するか否か）が判別される。
まず，前記モニタ対象チャンネルの信号が抽出されるように前記制御部６が前記デジタルチューナ３を制御する。更に，前記デジタル信号処理回路５が，所定の信号処理により前記モニタ対象チャンネルの信号のＢＥＲ（Bit Error Rate）の検出を行う。その検出結果は前記制御部６に入力される。前記テレビ放送信号が存在する場合には，前記モニタ対象チャンネルの前記ＢＥＲは予め定められた規定値を下回ることが知られている。それに基づいて，前記制御部６の，前記ＢＥＲの検出値から前記モニタ対象チャンネルに前記テレビ放送信号が存在するか否かが判別される。
ステップＳ４の処理において，前記テレビ放送信号が存在すると判別されると（Ｓ４のＹＥＳ），ステップＳ５の処理が開始される。また，前記テレビ放送信号が存在しないと判別されると（Ｓ４のＮＯ），当該処理は一旦終了され，再びステップＳ１から繰り返される。
【００２０】
ステップＳ５では，そのときの前記チャンネル設定情報，即ち，前記選択アナログ地域コードに対応する前記アナログ放送用地域別チャンネル情報（第１の地域別チャンネル情報）と同じ内容の情報に対する使用チャンネルに対して，アナログ放送によるテレビ放送信号（第１の放送信号の一例）が存在するか否か（有無）が検出される。この検出は前記使用チャンネル全てに対して順次行われる。
その検出は，例えば以下のように行われる。即ち，前記アナログ信号処理回路４では，前述のように，前記アナログ放送における映像信号から前記水平同期信号及び垂直同期信号が分離される処理が行われる。前記アナログ放送におけるテレビ放送信号が存在しない場合には，分離の対象となる前記水平同期信号及び垂直同期信号が存在しない。そこで，前記アナログ信号処理回路４は，その分離処理の可否を表す所定の情報を，前記制御部６に入力する（例えば，分離された前記水平同期信号及び前記垂直同期信号を直接入力する等）。そのような分離可否を表す情報に基づいて，前記制御部６により，アナログ放送における前記テレビ放送信号が存在するか否かが検出される。また，その検出の別例として，前記アナログ放送における前記テレビ放送信号の信号レベルを測定するなどの方法も考えられる。
ステップＳ５の処理において，前記使用チャンネルのうちの１つでも前記テレビ放送信号が存在しないと判別されると（Ｓ５のＮＯ），ステップＳ６の処理が開始される。また，前記テレビ放送信号が存在する判別されると（Ｓ５のＹＥＳ），当該処理は一旦終了され，再びステップＳ１から繰り返される。
【００２１】
ステップＳ４及びステップＳ５に示される処理により，前記モニタ対象チャンネルにおいてデジタル放送信号が検出され，且つ，前記アナログ放送用地域別チャンネル情報と同じ内容の情報に対する使用チャンネルのいずれかにおいてアナログ放送信号が検出されなくなった場合に，次のステップＳ６以降の処理（後述のように，チャンネル設定情報を切り替える処理）がなされるタイミングが制御される。
ステップＳ６では，前記チャンネル設定情報を，それまでの前記アナログ放送用地域別チャンネル情報に基づく前記チャンネル設定情報を，前記デジタルチャンネル設定情報の内容に切り替えるか否かを，視聴者に問い合わせる処理が行われる。この問い合わせ処理では，まず，前記制御部６が，その問い合わせを行うＯＳＤ画面の生成を支持する制御指令を，前記映像選択合成回路１０における前記ＯＳＤ処理部１０ａに伝送する。
次に，前記制御指令を受信した前記ＯＳＤ処理部１０ａが，前記問い合わせ画面（ＯＳＤ画面の）映像信号を生成する。その映像信号は，前記アナログ信号処理回路４から入力された映像信号（視聴されている番組の映像信号）と合成される。合成された信号は，前記映像出力部１１により表示される。これにより，図６に示されるように，前記チャンネル設定使用情報の切り替えの問い合わせ画面が，視聴されている番組の映像画面に合成されて表示される。ステップＳ６の処理が終了されると，ステップＳ７の処理が開始される。
【００２２】
ステップＳ７では，前記入力部７を通じて所定の切り替え許可の操作入力がなされたか否かが判別される。該操作入力がなされたことが検知されると（Ｓ７のＹＥＳ），前記制御部６（チャンネル設定情報切替手段）ステップＳ８の処理が開始され，前記チャンネル設定情報の全てを，前記アナログチャンネル設定情報に基づく情報から前記デジタルチャンネル設定情報へと切り替えられる。即ち，前記デジタルチャンネル設定情報が，前記選局符号と使用チャンネルとの対応関係として実際に用いる情報である前記チャンネル設定情報として，前記記憶部６ａに記憶される。更に，その後は前記デジタル信号処理回路５からの入力信号のみが選択されて，前記映像出力部１１及び音声出力部９へ伝送されるように，前記スイッチ回路８及び前記映像選択合成回路１０の制御が行われる。
尚，Ｓ８の処理を行う前記制御部６が，チャンネル設定切替手段である。また，前記制御部６は，前記切り替え許可の操作入力がなされた場合のみ，前記チャンネル設定使用情報を切り替えるものである。
以上のように，アナログ放送からデジタル放送へ移行される際に，視聴者が前記デジタル放送用の地域コードを入力しなくとも，その選択地域コードが自動で判別され，また，それに基づいて前記選局符号と前記使用チャンネルとの対応関係を表す前記チャンネル設定情報が設定される。
【実施例】
【００２３】
前述の実施形態では，選択アナログ放送用地域コードが，デジタル放送用地域コードのうちの１つに対応する場合について示したが，実際には前記選択アナログ放送用地域コード（第１の地域コードの一例）が複数の前記デジタル放送用地域コード（第２の地域コードの一例）に対応することも生じると考えられる。
その場合，制御部６（図１参照，第２選択地域コード特定手段の一例）が，前述のステップＳ１の処理（図５参照）を行う際に，視聴者による操作入力に従って，複数の前記デジタル放送用地域コードから１つの選択デジタル放送用地域コードを特定する実施例も考えられる。
例えば，ステップＳ１の処理において，前記選択アナログ地域コードに対応付けられた前記デジタル放送用地域コードが複数存在する場合，前記制御部６が前記ＯＳＤ処理部１０ａを制御することにより，その複数のデジタル地域コードの中から１つの選択する操作入力を促すＯＳＤ画面を，前記映像表示部１２に表示させる。図７は，そのようなＯＳＤ画面が表示された画面の一例を表す。詳しくは，前記ＯＳＤ処理部１０ａに，その選択操作を促すＯＳＤ画面の映像信号を生成させ，生成された映像信号を，前記アナログ信号処理回路４から入力された映像信号と合成する処理を行うように制御する。
さらに，そのＯＳＤ画面が表示された状態で，前記入力部７を通じて，複数のデジタル放送用地域コードのうちの１つを選択する所定の選択操作入力がなされた場合，その操作入力に従って，選択デジタル放送用地域コードを特定する。
【００２４】
前述の実施形態では，ステップＳ４及びステップＳ５において，前記モニタ対象チャンネルにおいてデジタル放送信号が検出され，且つ，前記アナログ放送用地域別チャンネル情報（第１の地域別チャンネル情報）と同じ内容の情報に対する使用チャンネルのいずれかにおいてアナログ放送信号が検出されなくなった場合に，前記チャンネル設定情報が切り替えられるものであった。一方，Ｓ４若しくはＳ５のうちのいずれか一方における検出結果に基づいて前記チャンネル設定使用情報が切り替えられるものであっても良い。
つまり，前記モニタ対象チャンネルにおいてデジタル放送のテレビ放送信号が検出された場合には，アナログ放送が終了しているか否かにかかわらず，前記チャンネル設定使用情報を前記アナログチャンネル設定情報から前記デジタルチャンネル設定情報に切り替える，又は，アナログ放送のテレビ放送信号が検出されなくなった場合には，既にデジタル放送は開始されているものとして，前記チャンネル設定使用情報を切り替えるものであっても良い。
【００２５】
前述の実施形態では，一つの前記モニタ対象チャンネルにおいてデジタル放送が開始され，またアナログ放送用地域コードに対応する前記アナログ放送用地域別チャンネル情報に対応する使用チャンネルのいずれかでアナログ放送が終了された場合，前記チャンネル設定使用情報が前記アナログチャンネル設定情報から前記デジタルチャンネル設定使用情報へと切り替えられる例について示したが，これに限られるものではない。
例えば，１つのモニタ対象チャンネルを定めずに，デジタル放送が開始されたか否かを，デジタル放送における使用チャンネル全てについて順次検出するものとし，また，アナログ放送が終了されたか否かを，アナログ放送における使用チャンネル全てについて順次検出するものとする。そこで，デジタル放送における複数（若しくは，全て）の使用チャンネルでデジタル放送によるテレビ放送信号が存在することが検出された場合に，又は，アナログ放送における複数（若しくは，全て）の使用チャンネルでアナログ放送によるテレビ放送信号が存在しないことが検出された場合，あるいは，それらの両方が満たされる場合に，前記チャンネル設定使用情報が切り替えられるものとしてもよい。
【００２６】
また，前述の実施形態では，前記モニタ対象チャンネルにおいてデジタル放送が開始され，またアナログ放送用地域コードに対応する前記アナログ放送用地域別チャンネル情報に対応する使用チャンネルのいずれかでアナログ放送が終了された場合，前記チャンネル設定使用情報が一斉に前記アナログチャンネル設定情報から前記デジタルチャンネル設定使用情報へと切り替えられる例について示したが，前記選局符号各々に対して，それらの選局符号に対応する選択チャンネルを順次切り替えていくものであってもよい。
その場合，デジタル放送における使用チャンネルに対して，順次テレビ放送信号が存在するか否かを検出するか，また，アナログ放送における使用チャンネルに対して，順次テレビ放送信号が存在するか否かを検出する。そこで，デジタル放送における前記テレビ放送信号の存在が確認されるか，アナログ放送における前記テレビ放送信号が検出されないか，もしくはその両方が満たされる場合に，その前記選局符号に対してのみ，前記チャンネル設定使用情報を，前記アナログチャンネル設定情報から前記デジタルチャンネル設定情報へと部分的に切り替えるものとする。
このようにすることで，局によりアナログ放送からデジタル放送への移行時期が異なるような場合にも，各局の移行に伴って次第に前記チャンネル設定使用情報が切り替えられる。
【図面の簡単な説明】
【００２７】
【図１】本発明の実施形態に係るテレビジョン受像機Ｘの概略構成を示す図。
【図２】前記テレビジョン受像機Ｘの記憶部６ａに記憶されるアナログ放送用地域別チャンネル情報の一例を示す図。
【図３】前記テレビジョン受像機Ｘの記憶部６ａに記憶されるデジタル放送用地域別チャンネル情報の一例を示す図。
【図４】前記テレビジョン受像機Ｘの記憶部６ａに記憶されるアナログ放送用地域コードとデジタル放送用地域コードとの対応関係の一例を示す図。
【図５】前記テレビジョン受像機Ｘにおけるチャンネル設定情報の切り替えの処理手順を示すフローチャート。
【図６】前記テレビジョン受像機Ｘにおけるチャンネル設定情報の切り替えの問い合わせ画面の一例を示す図。
【図７】前記テレビジョン受像機Ｘにおけるデジタル放送用地域コードの選択画面の一例を示す図。
【符号の説明】
【００２８】
Ａ…チャンネル設定装置
Ｘ…テレビジョン受像機
１…受信アンテナ
２…アナログチューナ
３…デジタルチューナ
４…アナログ信号処理回路
５…デジタル信号処理回路
６…制御部
６ａ…記憶部
７…入力部
８…スイッチ回路
９…音声出力部
１０…映像選択合成回路
１０ａ…ＯＳＤ処理部
１１…映像出力部
【図１】
2006121462.tif 000003
【図２】
2006121462.tif 000004
【図３】
2006121462.tif 000005
【図４】
2006121462.tif 000006
【図５】
2006121462.tif 000007
【図６】
2006121462.tif 000008
【図７】
2006121462.tif 000009